(57)【要約】【課題】遺体の下半身を被う仏衣パンツであり、着用性、体液対応性にすぐれた技術の提供。【解決手段】パンツ本体１２について、前身頃部１２１と後身頃部１２２とを連結部１２３を通して開閉可能にする。各身頃部１２１，１２２の側部に面ファスナ３１,３２があり、両身頃部１２１，１２２を閉じた状態にすることができる。パンツ本体１２の内面には、体液吸収パッド４０がパンツ本体１２と一体に設けられている。体液球種パッド４０は、連結部１２３を通り、前身頃部１２１と後身頃部１２２との間を橋渡ししている。【選択図】図１
2020028314.tif 000002
【特許請求の範囲】
【請求項１】
遺体の下半身を被うための仏衣パンツであり、下半身の前側を被う前身頃部と、下半身の後側を被う後身頃部と、それら両身頃部の間に位置し、両身頃部の各幅よりも幅が小さく、両身頃部を互いに連結する連結部とを含むパンツ本体とを備え、さらに、次の各構成を備えることを特徴とする仏衣パンツ。
・前身頃部および後身頃部の各側部には、取付け取外し可能な止め手段があり、それら止め手段を取外し状態にすることにより、前身頃部および後身頃部について連結部を中心に対称的に開閉可能である。
・連結部から離れた、前身頃部および後身頃部の各腰回り部には、前身頃部および後身頃部を遺体の腰回り部に支持する支持手段がある。
・パンツ本体の内側面には、連結部を通り、前身頃部と後身頃部との間を橋渡しする体液吸収パッドが固定されている。
【請求項２】
前記パンツ本体は、少なくとも１枚の共通生地により、前身頃部、後身頃部および連結部が連なっている、請求項１の仏衣パンツ。
【請求項３】
前記共通生地と前記体液吸収パッドとの層間に、消臭生地が挟み込まれている、請求項２の仏衣パンツ。
【請求項４】
前記止め手段は、スライドファスナ、面ファスナ、ボタン、ホック、あるいはそれらの組合せのいずれかであり、前記各側部に対し１あるいは複数の個所に設けられている、請求項１の仏衣パンツ。
【請求項５】
前記フリーサイズ対応の支持手段は、ひも、ゴム、あるいは面ファスナのいずれかを含む構成である、請求項１の仏衣パンツ。
【請求項６】
前記パンツ本体の連結部は、前記共通生地に対し、幅方向に延びる補助布が重なっている、請求項２の仏衣パンツ。
【発明の詳細な説明】
【技術分野】
【０００１】
この発明は、遺体の下半身を被うための仏衣パンツの技術に関する。特には、仏衣としての下着パンツの着用性を高めつつ、遺体からの体液流出にも対応した技術に関する。
【背景技術】
【０００２】
一般に、遺体に着せる白装束については、和装スタイルであれ洋装スタイルであれ、第１に、着用が容易であることが求められる。この着用性の点から、衣服の開閉部について、開閉が容易な留め紐（特許文献１）、あるいは、面ファスナ（特許文献２）などの取付け取り外し可能な止め手段が利用されている。
【０００３】
このような白装束を着せる前に、遺体には、おむつを着用し、あるいは、おむつを着用しない代わりに、普段の下着を用意してもらい、尿取りパッドを当てるなどの別作業を行う。このおむつやパッドの着用は、遺体から流出する体液に応じるために必要不可欠である。遺体に下着やおむつを着用すること自体は、特許文献３や特許文献４が示している。
【先行技術文献】
【特許文献】
【０００４】
【特許文献１】特開２０１２−２９９９３号公報
【特許文献２】実用新案登録第３１４９４３８号公報
【特許文献３】実用新案登録第３１２６１７５号公報
【特許文献４】特開２００１−７２５０１号公報
【発明の概要】
【発明が解決しようとする課題】
【０００５】
白装束を遺体に着せる場合は勿論のこと、体液に応じるために下着やおむつを着用する場合においても、着用性が第１に求められるであろう。なぜなら、遺体は、死後硬直により、衣服の着用が困難であるからである。その点、今までは、白装束については、着用を容易にする観点から各種の提案がなされているが、遺体用の下着やおむつについての提案は見られない。すなわち、仏衣である、下着パンツについての提案を見出すことができない。
【０００６】
そこで、この発明では、仏衣としての下着パンツの着用性を高めつつ、遺体からの体液流出にも対応することができる仏衣パンツを提供することを目的とする。
【０００７】
特に、この発明では、下半身の前側を被う前身頃部と、下半身の後側を被う後身頃部とを開閉可能にした仏衣パンツを提供することを目的とする。
【０００８】
この発明のその他の目的については、今後の説明から明らかになるであろう。
【課題を解決するための手段】
【０００９】
この発明の仏衣パンツは、遺体の下半身を被うためのものであり、下半身の前側を被う前身頃部と、下半身の後側を被う後身頃部と、それら両身頃部の間に位置し、両身頃部の各幅よりも幅が小さく、両身頃部を互いに連結する連結部とを含むパンツ本体とを備える。ここで、仏衣パンツとは、仏衣である下着パンツの意味である。
【００１０】
そして、この発明の仏衣パンツは、着用容易性および体液対応性に応じるため、さらに、次の各構成を備える。
・前身頃部および後身頃部の各側部には、取付け取外し可能な止め手段があり、それら止め手段を取外し状態にすることにより、前身頃部および後身頃部について連結部を中心に対称的に開閉可能である。
・連結部から離れた、前身頃部および後身頃部の各腰回り部には、前身頃部および後身頃部を遺体の腰回り部に支持する支持手段がある。
・パンツ本体の内側面には、連結部を通り、前身頃部と後身頃部との間を橋渡しする体液吸収パッドが固定されている。
【００１１】
この発明の仏衣パンツは、前後に開閉可能なパンツ本体に対し、体液吸収パッドを固定した構成である。そのため、着用に際して、体液吸収パッドとパンツとの位置関係を気にすることは不要である。しかも、前身頃部と後身頃部とが前後に開閉する形態であるため、死後硬直した遺体に対して容易に着用することができる。
【００１２】
また、取付け取外し可能な止め手段を前後の両身頃部の側部に配置しているため、それら止め手段は、見る人の目に触れにくく、仏衣としての重みを保つことができる。仏衣としてのより好ましい形態は、パンツ本体が、少なくとも１枚の共通生地により、前身頃部、後身頃部および連結部が連なっていることである。
【００１３】
消臭対策のために、パンツ本体の共通生地と体液吸収パッドとの層間に、消臭生地を挟み込むようにすると良い。
【００１４】
取付け取外し可能な止め手段としては、スライドファスナ、面ファスナ、ボタン、ホック、あるいはそれらの組合せのいずれかを選択することができる。取付け取外しが容易な点から、面ファスナが最も好ましく、たとえば、各側部に対し１あるいは複数の個所に設けることができる。面ファスナは、生地の背後に配置することができる点からも好ましい。
【００１５】
腰回り部における支持手段は、フリーサイズ対応が好ましく、通常、ひも、ゴム、あるいは面ファスナのいずれかを含む構成である。
【図面の簡単な説明】
【００１６】
【図１】この発明の一実施例である、男性用仏衣パンツの内面図である。
【図２】図１の男性用仏衣パンツの外面図である。
【図３】図１の男性用仏衣パンツを着用した状態を示す正面からの図である。
【図４】図３の着用状態を背面から示す図である。
【図５】男性用仏衣パンツの変形例を示す、部分的な拡大図である。
【図６】この発明の他の実施例である、女性用仏衣パンツの内面図である。
【図７】図６の女性用仏衣パンツの外面図である。
【図８】図６の女性用仏衣パンツを着用した状態を示す正面からの図である。
【図９】図８の着用状態を背面から示す図である。
【図１０】女性用仏衣パンツの変形例を示す、部分的な拡大図である。
【発明を実施するための形態】
【００１７】
図１および図２に示すように、男性用仏衣パンツ１０は、パンツ本体１２が前後に開閉可能である。パンツ本体１２は、サテン系の生地から構成され、下半身の前側を被う前身頃部１２１と、下半身の後側を被う後身頃部１２２と、両身頃部１２１，１２２の間に位置する連結部１２３とを備える。両身頃部１２１，１２２は下半身を被うに充分な大きさであり、たとえば、腰回りの横寸法が５５〜６０ｃｍ、腰回りから連結部１２３に至る縦寸法が５０ｃｍ前後である。
【００１８】
両身頃部１２１，１２２は、両側部に位置する各側縁部１２１ｓ，１２２ｓが末広がりに傾斜している。前身頃部１２１の側縁部１２１ｓにおける傾斜した一端１２１ｅから、連結部１２２の側縁を越えて、後身頃部１２２の側縁部１２２ｓにおける傾斜した一端１２２ｅに至る間が、腿の回りに位置する裾回りになる。それら裾回りには、ギャザーを付けて適正な大きさ（たとえば、裾回り５６ｃｍ）を確保している。
【００１９】
前および後の各身頃部１２１，１２２の腰回り部分には、サテンテープのひも２１，２２がある。これらの各ひも２１，２２は、各身頃部１２１，１２２を遺体の腰回り部に支持するための支持手段である。サテンを材料とするひも２１，２２は、各身頃部１２１，１２２の生地とも調和するだけでなく、フリーサイズ対応の上でも好ましい。
【００２０】
また、末広がり形状に傾斜した、各身頃部１２１，１２２の各側縁部１２１ｓ，１２２ｓには、適宜数の（図に示す例では３）面ファスナ３１，３２がある。これらの面ファスナ３１，３２は、前および後の身頃部１２１,１２２の相対向する側縁部１２１ｓ，１２２ｓを、互いに取付けおよび取外し可能に止める止め手段である。したがって、各身頃部１２１，１２２の一方の面ファスナ３１がオス（メス）であり、他方の面ファスナ３２がメス（オス）である。
【００２１】
さて、この発明の仏衣パンツ１０では、パンツ本体１２に対し体液吸収パッド４０を一体に設けている。体液吸収パッド４０は、遺体から流出する体液を吸収可能な吸収体であり、公知の尿取りパッドや生理用ナプキンなどを適用することができる。好ましい断面形態は、内面にガーゼやネルの立体ギャザーを含む吸収層、その吸収層の外側に防水布層、そして、防水布層の上を表生地層で被う構成である。  
【００２２】
体液吸収パッド４０は、パンツ本体１２の内側面上、前身頃部１２１の中途部から連結部１２３を通り、後身頃部１２２の端にまで至る。この場合、遺体のお尻を保護するため、体液吸収パッド４０の形を前身頃部１２１の側よりも後身頃部１２２の側を幅広（たとえば、ミット形状）にするのが好ましい。ミット形状の幅広の部分をポケット形態にし、内部に綿を入れることもできる。
【００２３】
体液吸収パッド４０は、縫製によりパンツ本体１２に固定するが、消臭対策のため、パンツ本体１２の前身頃部１２１には、パンツ本体１２と体液吸収パッド４０との層間に、スレーキなどの消臭生地４２を挟み込む。ここで、縫製に際して、パンツ本体１２と消臭生地４２との縫い目と、パンツ本体１２と体液吸収パッド４０との縫い目との縫い径路をできるだけ共通にする。それにより、外に出る縫い目をできるだけ少なくすることができる。
【００２４】
この発明の仏衣パンツ１０を遺体に着せる場合について説明する。その場合、まず、図１に示すように、体液吸収パッド４０を上にした状態、かつ、前身頃部１２１と後身頃部１２２とを開いた状態で仏衣パンツ１０を安定した面上に置く。その仏衣パンツ１０上に臀部が位置するように遺体を配置する。
【００２５】
その後、仏衣パンツ１０の前身頃部１２１を遺体の下半身を被うように、連結部１２３を中心に被せるようにする。そして、前および後の各身頃部１２１，１２２の側縁部１２１ｓ，１２２ｓの互いに対応する面ファスナ３１,３２を閉じ、側部のひも２１，２２を結ぶことにより、仏衣パンツ１０の着用を完了する。その後、白装束を着せることになる。
【００２６】
ここで、連結部１２３は、前および後の両身頃部１２１，１２２に比べて幅が小さい（男子用の場合、連結部１２３の幅は、両身頃部１２１，１２２の幅の半分よりも小さいほど）ことから、基本的に、後身頃部１２２に対して前身頃部１２１を開閉することは容易である。連結部１２３の生地に重なる補助布５０が、そのような開閉をさらに容易にしていることに留意されたい。図２に示すように、パンツ本体１２の連結部１２３には、前および後の両身頃部１２１，１２２の生地と共通した連結部１２３の生地の上に、同様のサテン系の補助布５０がある。この補助布５０は、細長い長方形状であり、両端の短辺は裾回り部分に位置し、長辺の側は連結部１２３の本体生地に縫い込まれている。その結果、開いた形態のパンツ１０には、前および後の両身頃部１２１，１２２の中間の連結部１２３に、腰回り部に平行な二本の縫い目５２ａ，５２ｂが存在する。補助布５０は、この二本の平行な縫い目５２ａ，５２ｂによって、連結部１２３に固定され、パンツ本体１２の前身頃部１２１を遺体上に開閉する際に、股下部分での連結部１２３の折り曲げを助け、前身頃部１２１の開閉を容易にすることができる。
【００２７】
男性用仏衣パンツ１０の着用状態を示す図３および図４からも分かるように、仏衣パンツ１０は、体液吸収パッド４０を付属しているにもかかわらず、見る人に何ら違和感を生じさせない。そのことは、支持手段であるひも２１，２２の結び個所が側部に位置すること、また、前後の両身頃部１２１，１２２を止める面ファスナ３１，３２が側縁部に位置していることも起因している、と考えられる。
【００２８】
パンツ本体１２と一体の体液吸収パッド４０について、各種の変形をすることができる。たとえば、図５に示すように、防水生地を含むパッド本体４００に対し、性器ポケット６０を一体に設けることができる。性器ポケット６０は表生地の内側に防水布を配置し、開口部にゴム６２を設ける。性器を挿入する開口部は、消臭生地４２の側に面する。また、パンツ本体１２の目立たない個所に、小さなポケットを設けることにより、そのポケットの中に思い出の小物を入れることもできる。
【００２９】
次に、女性用の仏衣パンツについて説明する。女性用仏衣パンツ１０ｗの一例を図６および図７に示す。仏衣パンツ１０ｗは、基本的に、男性用の仏衣パンツ１０と同様である。パンツ本体１２ｗは、大きさは異なるが、前身頃部１２１ｗと、後身頃部１２２ｗと、連結部１２３ｗとを備える。連結部１２３ｗの幅は、男子用と比べて狭く、たとえば、両身頃部１２１ｗ，１２２ｗのそれの１／３以下である。そのパンツ本体１２ｗの内面に、大きさは少し小さいが、男性用の場合と同様の体液吸収パッド４０ｗがある。そのほか、消臭生地４２ｗ、ひも２１ｗ，２２ｗ、面ファスナ３１ｗ，３２ｗなどの同様の構成を備えている。女性用の場合、連結部１２３ｗの幅が小さいことから、男性用における補助布５０を付属せずに、前身頃部１２１ｗを後身頃部１２２ｗに対して連結部１２３ｗを中心に容易に開閉可能である。
【００３０】
図８および図９は、女性用仏衣パンツ１０ｗの着用状態を示している。上半身にシュリンクゴム付きの胸当て７０を着け、下半身に仏衣パンツ１０ｗを着けている。仏衣パンツ１０ｗは、男性用の場合と同様、何ら違和感を生じさせることなく、胸当て７０とも良く調和している。
【００３１】
女性用仏衣パンツ１０ｗについても、いろいろな変形をすることができる。たとえば、図１０に一部を示すように、体液吸収パッドとして、一般的な形状のパッド４０ｗｗを用いることができる。
【符号の説明】
【００３２】
１０  男性用仏衣パンツ
１０ｗ  女性用仏衣パンツ
１２，１２ｗ  パンツ本体
１２１，１２１ｗ  前身頃部
１２２，１２２ｗ  後身頃部
１２３，１２３ｗ  連結部
２１，２２，２１ｗ，２２ｗ  ひも（支持手段）
３１，３２，３１ｗ，３２ｗ  面ファスナ（止め手段）
４０，４０ｗ，４０ｗｗ  体液吸収パッド
４２，４２ｗ  消臭生地
５０  補助布
【図１】
2020028314.tif 000003
【図２】
2020028314.tif 000004
【図３】
2020028314.tif 000005
【図４】
2020028314.tif 000006
【図５】
2020028314.tif 000007
【図６】
2020028314.tif 000008
【図７】
2020028314.tif 000009
【図８】
2020028314.tif 000010
【図９】
2020028314.tif 000011
【図１０】
2020028314.tif 000012